(57)【特許請求の範囲】
【請求項１】
電気泳動によって検体を分離し、分離した該検体を排出部から排出し、転写膜を該排出部に当接させて移動させることによって分離した該検体を該転写膜に転写する分離転写装置において該転写膜を保持する転写膜保持器具であって、
該転写膜の移動方向における少なくとも一方の端部を該転写膜保持器具に固定する固定部を備え、
該固定部は、
該転写膜の、該排出部に当接する面とは反対側の面に当接する弾性体と、
該転写膜を該弾性体に押し付ける押し付け部材と
を備えていることを特徴とする転写膜保持器具。
【請求項２】
上記押し付け部材は、上記移動方向と直交する、上記転写膜から上記弾性体とは反対側に離間した軸を中心に回動するようになっており、当該回動に伴って上記転写膜に当接して上記転写膜を上記弾性体に押し付ける当接部を備えていることを特徴とする請求項１に記載の転写膜保持器具。
【請求項３】
上記押し付け部材は、上記回動操作のための取っ手部をさらに備えていることを特徴とする請求項２に記載の転写膜保持器具。
【請求項４】
上記押し付け部材は、上記軸を曲部とするＬ字状の形状を有していることを特徴とする請求項３に記載の転写膜保持器具。
【請求項５】
上記転写膜の移動方向における一方の端部を固定する第一の固定部を備え、
第一の固定部の押し付け部材が、上記転写膜の移動方向における他方の端部から該一方の端部に向かう方向に上記転写膜を引き摺るように回動することによって上記転写膜を上記弾性体に押し付けるようになっていることを特徴とする請求項２〜４の何れか一項に記載の転写膜保持器具。
【請求項６】
第一の固定部は、第一の固定部の押し付け部材の回動の範囲を規定する係止部材を備えていることを特徴とする請求項５に記載の転写膜保持器具。
【請求項７】
上記他方の端部を固定する第二の固定部を備え、
第二の固定部の押し付け部材が、上記他方の端部から上記一方の端部に向かう方向に上記転写膜を引き摺るように回動することによって上記転写膜を上記弾性体に押し付けるようになっていることを特徴とする請求項５又は６に記載の転写膜保持器具。
【請求項８】
第二の固定部は、第二の固定部の押し付け部材の回動の範囲を規定する係止部材を備えていることを特徴とする請求項７に記載の転写膜保持器具。
【請求項９】
上記当接部に、滑り止め部材が設けられていることを特徴とする請求項２〜８の何れか一項に記載の転写膜保持器具。
【請求項１０】
上記滑り止め部材は、上記当接部に埋め込まれていることを特徴とする請求項９に記載の転写膜保持器具。
【請求項１１】
電気泳動によって検体を分離し、分離した該検体を排出部から排出し、転写膜を該排出部に当接させて移動させることによって分離した該検体を該転写膜に転写する分離転写装置であって、
請求項１〜１０の何れか一項に記載の転写膜保持器具を備えていることを特徴とする分離転写装置。
【発明の詳細な説明】
【技術分野】
【０００１】
本発明は、電気泳動技術に関するものであり、特に、電気泳動によって検体を分離し、分離した検体を転写膜に転写する技術に関する。
【背景技術】
【０００２】
電気泳動によって検体を分離し、分離した該検体を排出部から排出し、転写膜を該排出部に対して当接させて移動させることによって分離した該検体を該転写膜に転写する技術が知られている（以下、「排出転写」ともいう。）。例えば、特許文献１には、排出転写を行うための装置の一例が開示されている。
【先行技術文献】
【特許文献】
【０００３】
【特許文献１】特開２００７−２９２６１６号公報（２００７年１１月８日公開）
【発明の概要】
【発明が解決しようとする課題】
【０００４】
排出転写を行うとき、排出部から排出された検体を転写膜に良好に転写するため、転写膜を排出部に密着させることは非常に重要である。
【０００５】
本発明は、上記課題に鑑みてなされたものであり、排出転写を行うときに転写膜を排出部に密着させるための新規な技術を提供することを主たる目的とする。
【課題を解決するための手段】
【０００６】
本発明者らは、鋭意検討の結果、排出転写を行う分離転写装置において転写膜を保持する転写膜保持器具の新規な構成に想到し、本発明を完成させた。
【０００７】
すなわち、本発明の一態様に係る転写膜保持器具は、電気泳動によって検体を分離し、分離した該検体を排出部から排出し、転写膜を該排出部に当接させて移動させることによって分離した該検体を該転写膜に転写する分離転写装置において該転写膜を保持する転写膜保持器具であって、該転写膜の移動方向における少なくとも一方の端部を固定する固定部を備え、該固定部は、該排出部とは反対側から該転写膜に当接する弾性体と、該転写膜を該弾性体に押し付ける押し付け部材とを備えている。
【発明の効果】
【０００８】
本発明の一態様によれば、排出転写を行うときに、転写膜を排出部に好適に密着させることができる。
【図面の簡単な説明】
【０００９】
【図１】本発明の一実施形態に係る分離転写装置の概略構成を示す斜視図である。
【図２】本発明の一実施形態に係る分離転写装置の概略構成を示す断面図である。
【図３】本発明の一実施形態に係る転写膜保持器具の概略構成を示す断面図である。
【図４】本発明の一実施形態における転写膜保持器具の機能を説明するための断面図である。
【図５】本発明の一実施形態における転写膜保持器具の機能を説明するための断面図である。
【図６】本発明の一実施形態に係る転写膜保持器具の概略構成を示す斜視図である。
【図７】本発明の一実施形態に係る転写膜保持器具の寸法の一例を説明するための断面図である。
【発明を実施するための形態】
【００１０】
本発明の一実施形態について、図面に基づいて説明すれば以下のとおりである。
【００１１】
まず、本実施形態に係る分離転写装置１００の概略的な構成について、図１及び図２を参照して説明する。図１は、分離転写装置１００の構成を概略的に示す斜視図である。図２は、分離転写装置１００の構成を概略的に示す断面図である。
【００１２】
図１及び図２に示すように、分離転写装置１００は、電気泳動によって検体を分離し、分離した該検体を排出部から排出し、転写膜を該排出部に当接させて移動させることによって分離した該検体を該転写膜に転写する分離転写装置であり、クランプ（固定部、第一の固定部、アーム部）２０、クランプ（固定部、第二の固定部、アーム部）２１、クランプフレーム（アーム部、連結部）２２、キャリア（アーム部、側壁の上端を回り込む部位、第二部位）２３、陽極バッファ槽（第一緩衝液槽）３０、テーブル３１、陰極バッファ槽（第二緩衝液槽）４０、分離部５０、モータ（駆動部）６２、ボールネジ（駆動部）６３、ガイドシャフト（駆動部）６４、シャフトホルダ（駆動部）６５、ガイドポール（アーム部、第一部位）６６、並びに制御部６８を備えている。また、説明のために図示していないが、安全のため、動作時に全体を覆う蓋をさらに備えている。
【００１３】
ここで、分離部５０は、分離ゲル（分離媒体）５２を収納しており、陽極バッファ槽３０内に開口する第一開口（排出部）５０ａ及び陰極バッファ槽４０内に開口する第二開口５０ｂを有している。また、陽極バッファ槽３０内には、転写膜１が第一開口５０ａに対向するように配置されている。また、陽極バッファ槽３０内には陽極（第一電極）３２が配置されており、陰極バッファ槽４０内には陰極（第二電極）４１が配置されている。
【００１４】
このため、分離転写装置１００では、陰極バッファ槽４０及び陽極バッファ槽３０に緩衝液を満たすことによって、陰極バッファ槽４０内の陰極４１と陽極バッファ槽３０内の陽極３２とが、２つの槽における緩衝液、分離ゲル５２、及び転写膜１を介して電気的に接続される。すなわち、分離転写装置１００は、陰極４１と陽極３２との間に電圧を印加することによって、第二開口５０ｂから導入されたサンプルを分離ゲル５２によって分離し、分離された各成分を第一開口５０ａから排出させて転写膜１に吸着させる装置である。
【００１５】
以下に、主要な各部材について図１及び図２を参照して詳細に説明する。
【００１６】
（陽極及び陰極）
陽極３２は陽極バッファ槽３０内に配置されており、陰極４１は陰極バッファ槽４０内に配置されている。陽極３２及び陰極４１は、金属などの導電性を有する材料から形成される。陽極３２及び陰極４１を形成する材料としては、例えば電極のイオン化を抑制する観点から白金が好ましい。
【００１７】
これらの電極配置に関しては、陽極３２は陽極バッファ槽３０内に配置されており、陰極４１は陰極バッファ槽４０内に配置されていればよく、特に限定されないが、例えば、陰極４１、第一開口５０ａ、及び陽極３２が、略一直線上に配置されていてもよい。このような配置において図１に示すように転写膜１が配置されれば、第一開口５０ａを通る電気力線は転写膜１に対して略垂直になるため、サンプルの吸着の精度を向上し得る。
【００１８】
また、陽極３２は、転写膜１から離して配置することが好ましい。これによって、陽極３２から発生する気泡が、転写膜１に対する分離成分の吸着に悪影響を及ぼすことを抑制することができる。
【００１９】
陽極３２及び陰極４１は、例えば、制御部６８に接続して使用してもよいし、外部のパワーサプライ（直流電源装置）に接続して使用してもよい。外部のパワーサプライに接続して使用する場合、当該パワーサプライに時間、電流及び電圧をセットした後、パワーサプライの動作開始と同時に、制御部６８を操作して分離転写装置１００を動作開始させればよい。
【００２０】
（陽極バッファ槽及び陰極バッファ槽）
陽極バッファ槽３０及び陰極バッファ槽４０は、緩衝液（バッファ）を滞留させる絶縁性の容器である。陰極バッファ槽４０は、陽極バッファ槽３０に対して上方に設けられている。なお、本実施形態では、陽極バッファ槽３０はテーブル３１上に固定されており、陰極バッファ槽４０は陽極バッファ槽３０に固定されているが、本発明はこの構成には限定されない。
【００２１】
陽極バッファ槽３０及び陰極バッファ槽４０に入れる緩衝液は、導電性を有するあらゆる緩衝液であり得、特に、弱酸性〜弱塩基性に緩衝域を有する緩衝液を好適に用いることができる。そのような緩衝液としては、例えば、Ｔｒｉｓ／グリシン系緩衝液、酢酸緩衝溶液、炭酸ナトリウム系緩衝液、ＣＡＰＳ緩衝液、Ｔｒｉｓ／ホウ酸／ＥＤＴＡ緩衝液、Ｔｒｉｓ／酢酸／ＥＤＴＡ緩衝液、ＭＯＰＳ、リン酸緩衝液、Ｔｒｉｓ／トリシン系緩衝液等の緩衝液を用いることができる。
【００２２】
また、詳細は後述するが、陽極バッファ槽３０の底部には、転写膜１の移動経路中において、転写膜１を、転写膜１の裏面（分離部５０とは反対側の面）から支持するガイド（支持部材）３３・３４が設けられている。
【００２３】
（分離部）
分離部５０は、その内部に分離ゲル（分離媒体）５２を収納している。本実施形態において、分離部５０は、略垂直方向に起立しており、その下部は陽極バッファ槽３０内に配置され、その上部は片面が陰極バッファ槽４０に接するように配置されている。これにより、分離ゲル５２は、陽極バッファ槽３０内の緩衝液及び陰極バッファ槽４０内の緩衝液の少なくとも一方によって水冷され、十分に冷却することができる。
【００２４】
また、分離部５０は、陽極バッファ槽３０内に開口する第一開口５０ａ及び陰極バッファ槽４０内に開口する第二開口５０ｂを有する。これにより、分離ゲル５２は、第一開口５０ａを介して陽極バッファ槽３０内に面し、第二開口５０ｂを介して陰極バッファ槽４０内に面するようになっている。なお、本実施形態では、分離部５０は、陰極バッファ槽４０に設けられたロック４２によって、陰極バッファ槽４０に固定されているが、本発明はこの構成には限定されない。
【００２５】
分離部５０は、ガラス又はアクリルなどの絶縁体から形成された２枚の絶縁板５１・５３から構成され得る。一実施形態において、分離部５０は、第二開口５０ｂにおいて絶縁板５３の一部が欠けることによって、分離ゲル５２を露出させており、これによって、分離ゲル５２に対してサンプルを容易に導入することができる。
【００２６】
分離ゲル５２は、第二開口５０ｂから導入されたサンプル成分を分子量にしたがって分離するためのゲルである。分離ゲル５２は、分離部５０の分離転写装置１００に対する取り付け前、又は取り付けた後に、分離部５０内に充填され得る。また、分離ゲル５２が充填された市販のページチップを分離部５０として用いてもよい。分離ゲル５２の例としては、アクリルアミドゲル及びアガロースゲルなどが挙げられる。分離ゲル５２の横幅は、例えば、１０〜１２レーンのサンプルを分離することが可能な長さとすることができる。
【００２７】
なお、本実施形態においては、分離部５０内に分離ゲル５２を充填する構成を採用しているが、絶縁板５１と絶縁板５３との間にナノピラーと呼ばれる多数の超微細柱を設ける構成も採用し得る。
【００２８】
また、分離部５０の第一開口５０ａは、その周囲を含めて、導電性の多孔質材料（例えば、親水性ＰＶＤＦ（Polyvinylidene difluoride）膜、親水性ＰＴＦＥ（Polytetra fluoro ethylene）膜等）によって形成された被覆部によって覆われていてもよい。これによって、第一開口５０ａに転写膜１が接するあるいは押付けられている場合（第一開口５０ａと転写膜１の間に距離を設けない場合）において、転写膜１が搬送される時に転写膜１が分離部５０及び分離ゲル５２から受ける摩擦抵抗及び損傷を低減することができる。
【００２９】
なお、分離部５０が、略垂直方向に起立していることにより、分離部５０が、略水平方向に設置されている構成に比べて、サンプル導入量を増大させることができる。なぜなら、水平型の電気泳動装置では、分離ゲルに設けるウェルの深さを変えることが困難であるが、垂直型の電気泳動装置では、ウェルの深さを容易に変えることができるため、サンプル導入量を容易に増大させることができるからである。
【００３０】
（転写膜１）
転写膜１は、分離ゲル５２によって分離されたサンプルを長期間にわたって安定に保存可能にし、さらに、その後の分析を容易にするサンプルの吸着・保持体であることが好ましい。転写膜１の材質としては、高い強度を有し、かつサンプル結合能（単位面積当たりに吸着可能な重量）が高いものが好ましい。転写膜１としては、サンプルがタンパク質である場合にはＰＶＤＦ膜などが適している。なお、ＰＶＤＦ膜は予めメタノールなどを用いて親水化処理を行っておくことが好ましい。これ以外には、ニトロセルロース膜又はナイロン膜など、従来からタンパク質、ＤＮＡ及び核酸の吸着に利用されている膜も使用可能である。
【００３１】
なお、分離転写装置１００において分離及び吸着され得るサンプルとしては、これらに限定されないが、生物材料（例えば、生物個体、体液、細胞株、組織培養物、もしくは組織断片）からの調製物、又は、市販の試薬などが挙げられる。例えば、ポリペプチド又はポリヌクレオチドが挙げられる。
【００３２】
転写膜１は、陽極バッファ槽３０内において緩衝液に浸漬された状態で使用される。
【００３３】
本実施形態において、転写膜１は、１回の電気泳動・転写に使用される長さ、換言すれば、１回の電気泳動・転写において陽極バッファ槽３０内を移動する距離の長さを有していればよい。転写膜１をこのように構成することにより、１回の電気泳動・転写毎に、転写膜１を切断する操作が不要となり、分離転写装置１００の使用性を向上させることができる。また、転写膜１の横幅は、分離ゲル５２の横幅に対応する長さとすればよい。
【００３４】
（アジャスタ）
本実施形態において、転写膜１は、アジャスタ（転写膜保持器具）２によって保持された状態で使用される。アジャスタ２は、クランプ２０・２１及びクランプフレーム２２を備え、陽極バッファ槽３０の側壁の内側に配置されている。
【００３５】
図３は、アジャスタ２の概略構造を示す断面図であり、（Ａ）は、クランプ２０・２１が転写膜１を固定していない状態を示し、（Ｂ）は、クランプ２０・２１が転写膜１を固定している状態を示す。図３に示すように、クランプ２０・２１は、転写膜１の移動方向における端部１ａ・１ｂをそれぞれ固定するようになっている。
【００３６】
図３の（Ｂ）に示すように、クランプ２０は、弾性体２０ａ、押し付け部材２０ｂおよびストッパ（係止部材）２０ｃを備えており、弾性体２０ａを転写膜１の裏面（第一開口５０ａに当接する面とは反対側の面）に当接させ、押し付け部材２０ｂにより転写膜１の表面側から転写膜１（の端部１ａ）を弾性体２０ａに押し付けることによって転写膜１を固定している。特に、押し付け部材２０ｂは、転写膜１を弾性体２０ａに押し込むようになっていることが好ましい。
【００３７】
詳細には、図３の（Ａ）および（Ｂ）に示すように、押し付け部材２０ｂは、上記移動方向と直交する、転写膜１から弾性体２０ａとは反対側に離間した軸Ｂを中心に紙面反時計回りに回動するようになっており、当該回動に伴って転写膜１に当接して転写膜１を弾性体２０ａに押し付ける当接部Ａを備えている。
【００３８】
転写膜１を固定するための押し付け部材２０ｂの回動は、当接部Ａが、弾性体２０ａから離間した状態（図３の（Ａ））から、弾性体２０ａにめり込む状態（図３の（Ｂ））までなされる。ストッパ２０ｃは、押し付け部材２０ｂの回動の範囲を規定する係止部材であり、当接部Ａが弾性体２０ａにめり込み、転写膜１を固定している状態以上に押し付け部材２０ｂが回動しないように係止するようになっている。
【００３９】
同様に、図３の（Ｂ）に示すように、クランプ２１は、弾性体２１ａ、押し付け部材２１ｂおよびストッパ（係止部材）２１ｃを備えており、弾性体２１ａを転写膜１の裏面（第一開口５０ａに当接する面とは反対側の面）に当接させ、押し付け部材２１ｂにより転写膜１の表面側から転写膜１（の端部１ａ）を弾性体２０ａに押し付けることによって転写膜１を固定している。特に、押し付け部材２１ｂは、転写膜１を弾性体２１ａに押し込むようになっていることが好ましい。
【００４０】
詳細には、図３の（Ａ）および（Ｂ）に示すように、押し付け部材２１ｂは、上記移動方向と直交する、転写膜１から弾性体２１ａとは反対側に離間した軸Ｂを中心に紙面反時計回りに回動するようになっており、当該回動に伴って転写膜１に当接して転写膜１を弾性体２１ａに押し付ける当接部Ａを備えている。
【００４１】
転写膜１を固定するための押し付け部材２１ｂの回動は、当接部Ａが、弾性体２１ａから離間した状態（図３の（Ａ））から、弾性体２１ａにめり込む状態（図３の（Ｂ））までなされる。ストッパ２１ｃは、押し付け部材２１ｂの回動の範囲を規定する係止部材であり、当接部Ａが弾性体２１ａにめり込み、転写膜１を固定している状態以上に押し付け部材２１ｂが回動しないように係止するようになっている。
【００４２】
また、押し付け部材２０ａ・２０ｂは、ユーザが上記回動操作を行うための取っ手部Ｃをさらに備えている。取っ手部Ｃの形状は、特に限定されないが、例えば、軸Ｂから、当接部Ａが伸長している方向とは異なる方向に伸長している構成とすればよく、当接部Ａが伸長している方向と直交する方向に伸長し、押し付け部材２０ａ・２０ｂが全体として軸Ｂを曲部とするＬ字状の形状となるような構成とすることが好ましい。これにより、押し付け部材２０ａ・２０ｂを軸Ｂを中心に回転させて転写膜１を固定した状態において、押し付け部材２０ｂ・２１ｂの取っ手部Ｃが水平になり、押し付け部材２０ｂ・２１ｂの高さを低くすることができる。排出転写時には、押し付け部材２０ｂ・２１ｂは転写膜１を固定した状態で陽極バッファ槽３０の中を移動するが、このときの押し付け部材２０ｂ・２１ｂの高さを低くすることで、移動する押し付け部材２０ｂ・２１ｂによって陽極バッファに波が立つことを抑制することができる。これにより、より良好な転写を行うことができる。
【００４３】
なお、取っ手部Ｃは、直線形状である必要はなく、図４、図５に示すように、ユーザの手で持ちやすいように折れ曲がっていてもよい。
【００４４】
ここで、アジャスタ２の機能について説明する。アジャスタ２は、転写膜１を保持する構造体であり、転写膜１の張力ができるだけ高い状態を維持するようになっていることが好ましい。なぜなら、転写膜１の張力が低い（転写膜が緩む）と、転写膜１を分離部５０の第一開口５０ａに当接させても、転写膜１を第一開口５０ａに密着させることが難しいからである。以下に説明するように、本実施形態に係るアジャスタ２は、転写膜１の張力を好適に維持するようになっており、転写膜１を容易に第一開口５０ａに密着させることができる。
【００４５】
図４は、アジャスタ２の機能を説明するための断面図である。アジャスタ２によって転写膜１を保持している状態、すなわち、クランプ２０・２１によって転写膜１を固定している状態において、転写膜１が分離部５０の第一開口５０ａに当接すると、転写膜１が第一開口５０ａによって押し下げられ、クランプ２０・２１の固定位置の内側（図中Ｘ）において、上記押し下げられた転写膜１によって、弾性体２０ａ・２１ａが押し下げられる。このとき、弾性体２０ａ・２１ａからの反発力が転写膜１に掛かるため、転写膜１の張力を維持することができる。これにより、転写膜１を第一開口５０ａに好適に密着させることができる。
【００４６】
また、図３の（Ａ）及び（Ｂ）に示すように、クランプ２０の押し付け部材２０ｂは、転写膜１の端部１ａから端部１ｂに向かう方向に転写膜１を引き摺るように回動することによって転写膜１を弾性体２０ａに押し付けるようになっている。すなわち、クランプ２０の固定時には転写膜１は内側に向かう方向（緩む方向）に引き摺られる。一方、クランプ２１の押し付け部材２１ｂは、転写膜１の端部１ａから端部１ｂに向かう方向に転写膜１を引き摺るように回動することによって転写膜１を弾性体２１ａに押し付けるようになっている。すなわち、クランプ２１の固定時には転写膜１は外側に向かう方向（張る方向）に引き摺られる。
【００４７】
このとき、まず、クランプ２０によって転写膜１を固定し、その後に、クランプ２１を固定するようにすることで、転写膜１に対して首尾よく好適な張力を与えることができる。なぜなら、クランプ２０による固定時には、転写膜１はクランプ２１によって固定されていないため、クランプ２０によって内側に引き摺られても、単に、転写膜１が移動するだけである。そして、その後、転写膜１をできるだけ張った状態で、クランプ２１による固定を行うことで、転写膜１がさらに外側に引き摺られ、転写膜１の張力さらに高めることができる。このように、少なくとも一方のクランプ（本実施形態であればクランプ２１）が、固定時に転写膜１を外側に引き摺るようになっていることで、転写膜１の張力を高めることができる。これにより、転写膜１を第一開口５０ａに好適に密着させることができる。
【００４８】
また、クランプ２０の押し付け部材２０ｂが、転写膜１の固定時に、転写膜１を内側に引き摺るように回動するようになっており、さらにストッパ２０ｃが設けられていることにより、ストッパ２０ｃによって回動が係止された後には、転写膜１が内側にずれる（緩む）ことが防止される。これにより、固定後の転写膜１に強い力が掛かったときに、転写膜１が緩むことを好適に防ぐことができる。
【００４９】
また、一変形例において、押し付け部材２０ｂ・２１ｂの当接部Ａには、固定時に転写膜１がずれることを防ぐために、滑り止め部材が設けられていてもよい。滑り止め部材としては、公知の高摩擦係数を有する部材を用いることができ、例えば、滑り止めシールを当接部に貼付してもよい。
【００５０】
また、図５に示すように、押し付け部材２０ｂ・２１ｂの当接部Ａに、シリコンスポンジ等の滑り止め部材２０ｄ・２１ｄを埋め込んでもよい。これにより、滑り止め部材２０ｄ・２１ｄが、押し付け部材２０ｂ・２１ｂから剥離することを防ぐことができる。
【００５１】
また、一変形例において、図６に示すように、クランプ２１は、ロック（係止部材）２１ｅを備えていてもよい。ロック２１ｅは、押し付け部材２１ｂを回動させて転写膜１を固定した後に、押し付け部材２１ｂが戻ることを防ぐための係止部材であり、ロック２１ｅを設けることによって、固定後の転写膜１に強い力が掛かったときに、転写膜１が緩むことを好適に防ぐことができる。
【００５２】
弾性体２０ａ・２１ａの材料は、押し付け部材２０ｂ・２１ｂ及び転写膜１をめり込ませることができる柔らかさを有し、転写膜１を押し付け部材２０ｂ・２１ｂと対になって固定することができる弾性体であれば特に限定されないが、例えば、シリコンスポンジ、ウレタンゴム、クロロプレンゴム、フッ素ゴム等のエラストマーを好適に用いることができる。
【００５３】
一例において、弾性体２０ａ・２１ａに用いるシリコンスポンジの物性は、見掛け密度（ＪＩＳ−Ｋ６７６７）０．５０ｇ／ｃｍ３、引張強さ（ＪＩＳ−Ｋ６２５１）１．６ＭＰａ、硬度（タイプＥ、ＪＩＳ−Ｋ６２５３）３０であり得る。弾性体２０ａ・２１ａの物性は、これに限定するものではないが、見掛け密度（ＪＩＳ−Ｋ６７６７）０．１〜１．０ｇ／ｃｍ３、引張強さ（ＪＩＳ−Ｋ６２５１）０．３〜３．０ＭＰａ、硬度（タイプＥ、ＪＩＳ−Ｋ６２５３）１０〜１００であり得る。
【００５４】
また、アジャスタ２の各構成要素の寸法は特に限定されないが、押し付け部材２０ｂ（又は２１ｂ）の回動の軸Ｂが、弾性体２０ａ（又は２１ａ）に近いことが好ましい。押し付け部材２０ｂ（又は２１ｂ）の回動の軸Ｂと、弾性体２０ａ（又は２１ａ）との間の距離が長いと、梃子の原理により、転写膜１がクランプ２０（又は２１）から外れ易くなるおそれがある。図７は、アジャスタ２の寸法の一例を示す図である。図７に示すように、一例において、押し付け部材２１ｂの軸Ｂから弾性体２１ａまでの距離は８．５ｍｍとすることができるがこれに限定されない。また、一例において、弾性体２１ａの厚さは３ｍｍ、押し付け部材２１ｂによる弾性体２１ａの押し込み距離は０．５ｍｍとすることができるが、これらに限定されない。
【００５５】
以上のように、弾性体２０ａ・２１ａよりも硬い押し付け部材２０ｂ・２１ｂと、弾性体２０ａ・２１ａとの間に転写膜１を挟むことで、分離部５０の第一開口５０ａに転写膜１を当接させた時、転写膜１が弾性体２０ａ・２１ａにめり込むことで転写膜１に張力を掛けることができる。これにより、転写膜１を第一開口５０ａに好適に密着させることができる。
【００５６】
また、転写膜１の端部１ａを固定した後に、端部１ｂを固定する際に、転写膜１を外側へ巻き込むように押し付け部材２１ｂを回転させることにより、転写膜１が巻き込まれて固定されるので、転写膜１をたるみなく固定することができる。
【００５７】
このように、本実施形態に係るアジャスタ２によれば、たるみなく転写膜１を固定でき、さらに転写膜１を第一開口５０ａに当接させた時に転写膜１に張力がかかるので、その結果、第一開口５０ａと転写膜１との密着が均一になり、解析対象の分子（検体）を転写膜１に良好に転写することができる。
【００５８】
クランプフレーム２２は、クランプ２０・２１を連結する軸部材であり、クランプ２０・２１を所定距離離間して連結している。これにより、クランプ２０・２１によって転写膜１の両端部を固定したときに、転写膜１を、その移動方向に沿って緩み無く張ることができる。これにより、転写結果が転写膜１の緩みによりぶれることを抑制し、測定感度を向上させることができる。また、クランプ２０の移動に伴って搬送される転写膜１に加えられる張力を一定にすることができる。従って、転写膜１に対してサンプルをムラなくより好適に転写することができる。
【００５９】
クランプフレーム２２は、転写膜１を移動方向側方から挟む位置に配置されており、これによって、転写膜１の表面（第一開口５０ａと対向する面）及び裏面（第一開口５０ａとは反対側の面）にクランプフレーム２２が重なることを避けることができる。これによって、分離ゲル５２から転写膜１への転写や、転写膜１の裏面へ他部材の当接等（詳細については後述する）がクランプフレーム２２によって阻害されることを防ぐことができる。また、クランプ２０・２１による転写膜１の固定も阻害しない。
【００６０】
クランプフレーム２２、クランプ２０・２１（弾性体２０ａ・２１ａを除く）は、これに限定されないが、例えば、テフロン（登録商標）、アクリル樹脂、ＰＥＥＫ樹脂のような合成樹脂によって構成することができる。
【００６１】
（アーム部）
本実施形態において、アジャスタ２はアーム部に組み込まれている。アーム部は、転写膜１を、移動、及び、第一開口５０ａと当接させるものである。本実施形態において、アーム部は、連結された一連の部材であるアジャスタ２、キャリア２３及びガイドポール６６から構成される。
【００６２】
ガイドポール６６は、後述する駆動部（シャフトホルダ６５）に連結し、陽極バッファ槽３０の側壁の外側を通るように配置されている軸部材である。キャリア２３は、ガイドポール６６に連結し、陽極バッファ槽３０の側壁の上端を回り込んで、クランプ２０に連結している部材である。
【００６３】
以上のように、アーム部は、駆動部に連結している位置から、陽極バッファ槽３０の側壁の外側を通り、該側壁の上端を回り込んで、該側壁の内側につながっている。
【００６４】
なお、本発明を限定するものではないが、本実施形態では、ガイドポール６６は、陽極バッファ槽３０の側壁の外側を、当該側壁の上端に並ぶ位置まで延伸している。そして、キャリア２３は、ガイドポール６６に嵌合し、陽極バッファ槽３０の側壁の上端を跨いで当該側壁の内側に延伸している。
【００６５】
このように構成することにより、キャリア２３は、駆動部に対して容易に着脱することができる。ガイドポール６６は、陽極バッファ槽３０の側壁の外側に配置されており、必要に応じて行われる、陽極バッファ槽３０の取り外し（詳細は実施形態２において説明する）や電極のセット等の各種操作の邪魔になることはない。そのため、キャリア２３を適宜外すことにより、各種操作を首尾よく行うことができる。
【００６６】
（駆動部）
駆動部は、アーム部を略水平方向に駆動するものであり、本実施形態では、モータ６２、ボールネジ６３、ガイドシャフト６４及びシャフトホルダ６５によって構成されている。
【００６７】
モータ６２は、ボールネジ６３を回転させる。モータ６２は、回転数を変化可能なものを使用してもよいし、回転数が固定のものをギアと組み合わせて使用してもよい。ボールネジ６３は、シャフトホルダ６５を貫通すると共に、シャフトホルダ６５に螺合している。ガイドシャフト６４は、シャフトホルダ６５を貫通しており、シャフトホルダ６５は、ガイドシャフト６４に沿って移動可能に構成されている。そして、モータ６２がボールネジ６３を回転させることにより、シャフトホルダ６５が図中Ｘ方向（略水平方向）に駆動される。シャフトホルダ６５は、アーム部（ガイドポール６６）に連結しており、これによって、駆動部は、アーム部を、図中Ｘ方向（略水平方向）に駆動することができる。そして、アーム部は、転写膜１を保持しているため、転写膜１は、図中Ｘ方向（略水平方向）に移動する。
【００６８】
但し、本発明はこれに限定されず、アーム部を略水平方向に駆動することができるものであれば、その他の駆動機構（例えば、ベルト、ギア等）によって駆動部を構成するようにしてもよい。
【００６９】
また、駆動部は、陽極バッファ槽３０下に設けられている。これによって、陽極バッファ槽８６から飛散した緩衝液が駆動部の耐用性を低下させるおそれ、及び、駆動部が分離転写装置１００に対する各種操作の妨げになるおそれを防止することができる。
【００７０】
（制御部）
制御部６８は、分離転写装置１００の各種制御（アーム部の位置の制御、陽極３２及び陰極４１に印加する電流・電圧の制御等）を行う制御盤である。制御部６８は、ユーザからの入力を受けるためのボタン、スイッチや、動作状態をユーザに通知するためのランプ、表示部等を備えていてもよい。
【００７１】
（サンプルの電気泳動及び転写）
次に、分離転写装置１００におけるサンプルの電気泳動及び転写の流れについて、図１を参照して説明する。図１に示すように、サンプルの電気泳動及び転写時において、転写膜１は、アジャスタ２によって、第一開口５０ａに当接する位置に配置された状態で保持される。このとき、陽極バッファ槽３０の底部に設けられたガイド３３・３４によって、転写膜１は、転写膜１の裏面（分離部５０とは反対側）から支持されている。
【００７２】
ガイド３３・３４は、陽極バッファ槽３０の底部に、転写膜１が移動する移動経路中において転写膜を支持するように設けられている。ガイド３３・３４は、その長手方向が、転写膜１の移動方向（Ｘ方向）に直交しており、第一開口５０ａの長手方向と平行になっている。
【００７３】
そして、分離部５０（の第一開口５０ａ側）が、転写膜１の表面（分離部５０側）に当接することにより、転写膜１は、分離部５０とは反対側が凸になるように折り曲げられている。このように、ガイド３３・３４によって転写膜１が支持され、分離部５０がそれを押さえて、下に（分離部５０とは反対側に）凸になるように折り曲げられる。これによって、転写膜１に張力が掛かり、転写膜１を第一開口５０ａにより密着させることができる。これにより分離ゲル５２から転写膜１への転写をより好適に行うことができる。
【００７４】
特に、ガイド３３・３４が、陽極バッファ槽３０の底部において第一開口５０ａに対向する位置を対になって挟む位置に夫々形成されていることにより、分離部５０の両側に配置されたガイド３３・３４によって転写膜１が支持され、分離部５０がそれを押さえて、下に（分離部とは反対側に）凸になるように折り曲げられる。これによって、転写膜１により均一に張力が掛かり、転写膜１を第一開口５０ａにより均一に密着させることができる。これにより分離ゲル５２から転写膜１への転写をより好適に行うことができる。
【００７５】
なお、上述したように、クランプフレーム２２は、転写膜１を移動方向側方から挟む位置に配置されているため、ガイド３３・３４が、転写膜１をその裏面から支持することを妨げない。
【００７６】
そして、分離部５０の第二開口５０ｂから、サンプルを分離ゲル５２に導入する。サンプルには、分析対象となる生体分子の他、電気泳動の進行状態を確認するための可視分子量マーカーを加えることが好ましい。
【００７７】
以上の状態で、サンプルの電気泳動による分離を行う。制御部６８は、モータ６２を制御して、転写膜１の位置をスタート位置に設定し、陽極３２と陰極４１との間に電流を流し、電気泳動を開始する。陽極３２と陰極４１との間に流す電流値としては、特に限定されないが、５０ｍＡ以下であることが好ましく、２０ｍＡ以上、３０ｍＡ以下であることがより好ましい。なお、電流値が一定になるように制御してもよいし、電圧が一定になるように制御してもよいし、その他の態様で電流・電圧を制御してもよい。
【００７８】
転写膜１は、分離部５０における電気泳動の進行に合わせて、駆動部によるアーム部（アジャスター）の駆動によりＸ方向（略水平方向）に向かって徐々に移動される。Ｘ方向は、第一開口５０ａの長手方向と直交する方向である。転写膜１の移動速度は、特に限定されないが、例えば、６０〜１２０分間に、５〜１０ｃｍ移動するペースとすることができる。
【００７９】
そして、第一開口５０ａから、電気泳動によって排出されるサンプル（分離ゲル５２内で分離されたもの）が、転写膜１における排出されるタイミングに従った位置（排出されたタイミングにおいて第一開口５０ａに対向していた位置）に吸着される。これにより、転写膜１に分離されたサンプルが転写される。
【００８０】
転写後、転写膜１を回収し、染色又は免疫反応（ウェスタンブロット法におけるブロッキング及び抗原抗体反応）などに供することができる。その後、蛍光検出器などによって、転写膜１に転写された成分の分離パターンが検出される。このような蛍光検出器は、分離転写装置１００に組み込まれていてもよく、これによって電気泳動、転写、及び検出の全工程を自動化することができる。
【００８１】
以上のように、分離部５０が略垂直に起立する構成とすることで、分離部５０が陽極バッファ槽３０及び陰極バッファ槽４０の少なくとも一方の緩衝液に浸漬され、分離ゲル５２を水冷することができる。
【００８２】
そして、分離転写装置１００をこのように構成した場合には、（ｉ）転写膜１を陽極バッファ槽３０内において移動させる必要があり、（ｉｉ）従来技術のように、駆動部を、転写膜１の上流に配置しようとした場合には、陽極バッファ槽３０から飛散した緩衝液が当該駆動部の耐用性を低下させるおそれ、及び、当該駆動部が分離転写装置１００に対する各種操作の妨げになるおそれがあるが、（ｉｉｉ）本実施形態では、駆動部を陽極バッファ槽３０下に設け、かつ、アーム部の形状を、陽極バッファ槽３０の側壁の外側を通り、当該側壁の上端を回り込んで、当該側壁の内側につながっている形状とすることによって、緩衝液による駆動部の耐用性の低下及び駆動部による各種操作の妨害を避けつつ、転写膜１を陽極バッファ槽３０内において首尾よく移動させることができる。
【００８３】
〔まとめ〕
本発明の態様１に係る転写膜保持器具（アジャスタ２）は、電気泳動によって検体を分離し、分離した該検体を排出部（第一開口５０ａ）から排出し、転写膜１を該排出部に当接させて移動させることによって分離した該検体を該転写膜に転写する分離転写装置１００において該転写膜１を保持する転写膜保持器具であって、該転写膜１の移動方向における少なくとも一方の端部を固定する固定部（クランプ２０・２１）を備え、該固定部は、該排出部とは反対側から該転写膜に当接する弾性体２０ａ・２０ｂと、該転写膜を該弾性体に押し付ける押し付け部材２０ｂ・２１ｂとを備えている。
【００８４】
上記の構成によれば、転写膜の端部に対し、排出部とは反対側から弾性体が当接し、押し付け部材が、当該端部を弾性体に押し付けるようにして当該端部が固定されている。これにより、転写膜を排出部に当接させたとき、転写膜が弾性体にめり込むことで転写膜に張力を掛けることができる。これにより、転写膜を排出部に好適に密着させることができる。
【００８５】
本発明の態様２に係る転写膜保持器具は、上記態様１において、上記押し付け部材２０ｂ・２１ｂは、上記移動方向と直交する、上記転写膜１から上記弾性体２０ａ・２１ａとは反対側に離間した軸Ｂを中心に回動するようになっており、当該回動に伴って上記転写膜１に当接して上記転写膜１を上記弾性体２０ａ・２１ａに押し付ける当接部Ａを備えていてもよい。
【００８６】
上記の構成によれば、押し付け部材を回動させることによって、転写膜を固定することができる。
【００８７】
本発明の態様３に係る転写膜保持器具は、上記態様２において、上記押し付け部材２０ｂ・２１ｂは、上記回動操作のための取っ手部Ｃをさらに備えていてもよい。
【００８８】
上記の構成によれば、押し付け部材を容易に回動させることができる。
【００８９】
本発明の態様４に係る転写膜保持器具は、上記態様３において、上記押し付け部材２０ｂ・２１ｂは、上記軸Ｂを曲部とするＬ字状の形状を有していてもよい。
【００９０】
上記の構成によれば、押し付け部材を容易に回動させることができる。また、転写膜１を固定した状態における押し付け部材の高さを低くすることができるので、排出転写時に、移動する押し付け部材によって、陽極バッファに波が立つことを抑制することができ、良好な転写を行うことができる。
【００９１】
本発明の態様５に係る転写膜保持器具は、上記態様２〜４において、上記転写膜の移動方向における一方の端部１ｂを固定する第一の固定部（クランプ２１）を備え、第一の固定部の押し付け部材２１ｂが、上記転写膜１の移動方向における他方の端部１ａから該一方の端部１ｂに向かう方向に上記転写膜１を引き摺るように回動することによって上記転写膜１を上記弾性体２１ａに押し付けるようになっていてもよい。
【００９２】
上記の構成によれば、第一の固定部によって転写膜の一方の端部を固定する際に、転写膜を外側（他方の端部から上記一方の端部へ向かう方向）へ引き摺る（巻き込む）ように押し付け部材が回動される。そのため、転写膜の上記他方の端部を固定した後に、第一の固定部によって上記一方の端部を固定することにより、転写膜が外側に引き摺られて（巻き込まれて）固定されるので、転写膜をたるみなく固定することができる。
【００９３】
本発明の態様６に係る転写膜保持器具は、上記態様５において、第一の固定部は、第一の固定部の押し付け部材２１ｂの回動の範囲を規定する係止部材（ストッパ２１ｃ、ロック２１ｅ）を備えていてもよい。
【００９４】
上記の構成によれば、第一の固定部の押し付け部材の回動の範囲を規定することにより、第一の固定部の押し付け部材による固定が外れることを防ぐことができる。
【００９５】
本発明の態様７に係る転写膜保持器具は、上記態様５又は６において、上記他方の端部を固定する第二の固定部（クランプ２０）を備え、第二の固定部の押し付け部材２０ｂが、上記他方の端部１ｂから上記一方の端部１ａに向かう方向に上記転写膜１を引き摺るように回動することによって上記転写膜１を上記弾性体２０ａに押し付けるようになっていてもよい。
【００９６】
上記の構成によれば、第二の固定部によって転写膜の上記他方の端部を固定する際に、転写膜を内側（他方の端部から上記一方の端部へ向かう方向）へ引き摺るように押し付け部材が回動される場合であっても、第一の固定部によって転写膜の一方の端部を固定する際に、転写膜を外側へ引き摺るように押し付け部材が回動されるため、第二の固定部によって転写膜の上記他方の端部を固定した後に、第一の固定部によって上記一方の端部を固定することにより、転写膜が外側に引き摺られて固定されるので、転写膜をたるみなく固定することができる。
【００９７】
本発明の態様８に係る転写膜保持器具は、上記態様７において、第二の固定部は、第二の固定部の押し付け部材２０ｂの回動の範囲を規定する係止部材（ストッパ２０ｃ）を備えていてもよい。
【００９８】
上記の構成によれば、第一の固定部の押し付け部材の回動の範囲を規定することにより、第二の固定部の押し付け部材による固定が外れることを防ぐことができる。
【００９９】
本発明の態様９に係る転写膜保持器具は、上記態様２〜８において、上記当接部Ａに、滑り止め部材２０ｄ・２１ｄが設けられていてもよい。
【０１００】
上記の構成によれば、転写膜の固定の際に、転写膜がずれることを防ぐことができる。
【０１０１】
本発明の態様１０に係る転写膜保持器具は、上記態様９において、上記滑り止め部材は、上記当接部Ａに埋め込まれていてもよい。
【０１０２】
上記の構成によれば、滑り止め部材が当接部から分離することを防止することができる。
【０１０３】
本発明の態様１１に係る分離転写装置は、電気泳動によって検体を分離し、分離した該検体を排出部から排出し、転写膜を該排出部に当接させて移動させることによって分離した該検体を該転写膜に転写する分離転写装置であって、上記態様１〜１０の転写膜保持器具を備えている。
【０１０４】
上記の構成によれば、上記態様１〜１０と同等の効果を奏する。
【０１０５】
本発明の態様１２に係る分離転写装置は、上記態様１１において、第一緩衝液槽、第一緩衝液槽の上方に配置された第二緩衝液槽、分離媒体が収納され、第一緩衝液槽内に開口する第一開口及び第二緩衝液槽内に開口する第二開口を有し、略垂直方向に起立している分離部、第一開口に対向する位置に配置された転写膜を保持するアーム部、並びに第一緩衝液槽下に設けられ、該アーム部を略水平方向に駆動する駆動部を備え、該アーム部は、第一緩衝液槽の側壁の外側を通り、該側壁の上端を回り込んで、該側壁の内側につながっていてもよい。
【０１０６】
上記の構成によれば、分離部が略垂直に起立する構成とすることで、分離部が第一又は第二緩衝液槽内の緩衝液に浸漬され、分離媒体を水冷することができる。但し、分離転写装置をこのように構成した場合、転写膜を第一緩衝液槽内において移動させる必要がある。
【０１０７】
ここで、上記の構成によれば、駆動部を第一緩衝液槽下に設け、かつ、アーム部の形状を、第一緩衝液槽の側壁の外側を通り、当該側壁の上端を回り込んで、当該側壁の内側につながっている形状とすることによって、緩衝液による駆動部の耐用性の低下及び駆動部による各種操作の妨害を避けつつ、転写膜を第一緩衝液槽内において首尾よく移動させることができる。
【０１０８】
本発明の態様１３に係る分離転写装置では、上記態様１２において、上記アーム部は、上記駆動部につながっており、上記側壁の外側を、当該側壁の上端に並ぶ位置まで延伸している第一部位と、第一部位に嵌合し、上記側壁の上端を跨いで当該側壁の内側に延伸している第二部位とを有していてもよい。
【０１０９】
上記の構成によれば、第二部位は、駆動部に対して容易に着脱することができる。第一部位は、第一緩衝液槽の側壁の外側に配置されており、第一緩衝液槽の取り外しや電極のセット等の各種操作の邪魔になることはない。そのため、第二部位を適宜外すことにより、各種操作を首尾よく行うことができる。
【０１１０】
本発明の態様１４に係る分離転写装置では、上記態様１２または１３において、第一緩衝液槽には第一電極が配置され、第二緩衝液槽には第二電極が配置され、上記転写膜は、第一開口及び第一電極に挿まれるように配置されてもよい。
【０１１１】
上記構成によれば、分離媒体に対し、第一緩衝液槽内に開口する第一開口と第二緩衝液槽内に開口する第二開口との間に電圧を印加することができるので、検体の電気泳動を首尾よく行うことができる。また、第一開口と第一電極との間に転写膜が挿まれるため、第一開口から転写膜への分離された検体の転写を首尾よく行うことができる。
【０１１２】
本発明は上述した実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。更に、各実施形態にそれぞれ開示された技術的手段を組み合わせることにより、新しい技術的特徴を形成することができる。
【産業上の利用可能性】
【０１１３】
本発明は、生体分子等の分析分野において利用可能である。
【符号の説明】
【０１１４】
１      転写膜
１ａ・１ｂ  端部
２      アジャスタ（転写膜保持器具）
２０    クランプ（固定部、第二の固定部、アーム部）
２１    クランプ（固定部、第一の固定部、アーム部）
２０ａ・２１ａ  弾性体
２０ｂ・２１ｂ  押し付け部材
Ａ  当接部
Ｂ  軸
Ｃ  取っ手部
２０ｃ・２１ｃ  ストッパ（係止部材）
２０ｄ・２１ｄ  滑り止め部材
２１ｅ  ロック（係止部材）
２２    クランプフレーム（アーム部、連結部）
２３    キャリア（アーム部、側壁の上端を回り込む部位、第二部位）
３０    陽極バッファ槽（第一緩衝液槽）
３１    テーブル
３２    陽極（第１電極）
３３・３４    ガイド（支持部材）
４０    陰極バッファ槽（第二緩衝液槽）
４１    陰極（第２電極）
４２    ロック
５０    分離部
５０ａ  第一開口（排出部）
５０ｂ  第二開口
５１・５３    絶縁板
５２    分離ゲル（分離媒体）
６２    モータ（駆動部）
６３    ボールネジ（駆動部）
６４    ガイドシャフト（駆動部）
６５    シャフトホルダ（駆動部）
６６    ガイドポール（アーム部、第一部位）
６８    制御部
１００    分離転写装置
【要約】      （修正有）【課題】排出転写を行うときに転写膜を排出部に密着させるための新規な技術を提供する。【解決手段】分離転写装置１００において転写膜１を保持する転写膜保持器具であって、転写膜１の移動方向における少なくとも一方の端部を固定する固定部２０、２１を備え、固定部２０、２１は、排出部５０ａとは反対側から転写膜１に当接する弾性体２０ａ、２１ａと、転写膜１を弾性体２０ａ、２１ａに押し付ける押し付け部材２０ｂ、２１ｂとを備えている。【選択図】図２【図１】
0005952446.tif 000002
【図２】
0005952446.tif 000003
【図３】
0005952446.tif 000004
【図４】
0005952446.tif 000005
【図５】
0005952446.tif 000006
【図６】
0005952446.tif 000007
【図７】
0005952446.tif 000008